(57)【特許請求の範囲】
【請求項１】
スピニングリールのリール本体の前方に配置されたロータの１対のロータアームの先端に設けられスプールに釣り糸を案内するスピニングリールの釣り糸案内機構であって、
前記１対のロータアームの先端にそれぞれ揺動自在に設けられた１対のベール支持部材と、
前記ベール支持部材の一方の先端に設けられたラインローラと、前記一方のベール支持部材の先端に基端が固定され前記ラインローラを回転自在に支持する固定軸と、
前記固定軸の先端に固定され前記ラインローラの外径より大きい外径を有する固定軸カバーと、
前記固定軸カバーと他方のベール支持部材との間を連結して前記釣り糸を前記ラインローラに案内するベールと、
前記固定軸の軸芯より後方でかつ前記軸芯より前記スプール側の位置で前記固定軸カバーに近接して前記一方のベール支持部材に設けられ、前記軸芯から前記スプールの回転軸に沿った線分とそれと直交する線分とこれらの線分と直交する前記固定軸カバーの接線とで囲まれる領域から前記固定軸カバー領域を除いた領域内で前記釣り糸に接触するように配置され、前記一方のベール支持部材に前記軸芯に沿って立設された棒状部材である内側糸ふけ防止部材と、
を備えたスピニングリールの釣り糸案内機構。
【請求項２】
スピニングリールのリール本体の前方に配置されたロータの１対のロータアームの先端に設けられスプールに釣り糸を案内するスピニングリールの釣り糸案内機構であって、
前記１対のロータアームの先端にそれぞれ揺動自在に設けられた１対のベール支持部材と、
前記ベール支持部材の一方の先端に設けられたラインローラと、前記一方のベール支持部材の先端に基端が固定され前記ラインローラを回転自在に支持する固定軸と、
前記固定軸の先端に固定され前記ラインローラの外径より大きい外径を有する固定軸カバーと、
前記固定軸カバーと他方のベール支持部材との間を連結して前記釣り糸を前記ラインローラに案内するベールと、
前記固定軸の軸芯より後方でかつ前記軸芯より前記スプール側の位置で前記固定軸カバーに近接して前記一方のベール支持部材に設けられ、弾性部材により前記ラインローラ側に付勢される内側糸ふけ防止部材と、
を備えたスピニングリールの釣り糸案内機構。
【請求項３】
スピニングリールのリール本体の前方に配置されたロータの１対のロータアームの先端に設けられスプールに釣り糸を案内するスピニングリールの釣り糸案内機構であって、
前記１対のロータアームの先端にそれぞれ揺動自在に設けられた１対のベール支持部材と、
前記ベール支持部材の一方の先端に設けられたラインローラと、前記一方のベール支持部材の先端に基端が固定され前記ラインローラを回転自在に支持する固定軸と、
前記固定軸の先端に固定され前記ラインローラの外径より大きい外径を有する固定軸カバーと、
前記固定軸カバーと他方のベール支持部材との間を連結して前記釣り糸を前記ラインローラに案内するベールと、
前記固定軸の軸芯より後方でかつ前記軸芯より前記スプール側の位置で前記固定軸カバーに近接して前記一方のベール支持部材に設けられ、前記軸芯に沿った軸回りに回転自在に支持される回転部材を有する内側糸ふけ防止部材と、
を備えたスピニングリールの釣り糸案内機構。
【請求項４】
前記１対のベール支持部材は、前記ロータアームにその内側で揺動自在に支持されている、請求項１から３のいずれかに記載のスピニングリールの釣り糸案内機構。
【請求項５】
前記１対のベール支持部材は、前記ロータアームにその外側で揺動自在に支持されている、請求項１から３のいずれかに記載のスピニングリールの釣り糸案内機構。
【請求項６】
前記一方のベール支持部材の外側の外形線は、前記ラインローラ及び固定軸カバーより前記スプールの径方向外方に位置するように形成されている、請求項１から５のいずれかに記載のスピニングリールの釣り糸案内機構。
【発明の詳細な説明】
【０００１】
【発明の属する技術分野】
本発明は、釣り糸案内機構、特に、スピニングリールの１対のロータアームの先端に設けられスプールに釣り糸を案内するスピニングリールの釣り糸案内機構に関する。
【０００２】
【従来の技術】
スピニングリールには、釣り糸をスプールに案内する釣り糸案内機構が設けられている。釣り糸案内機構は、１対のロータアームの先端に揺動自在に支持された１対のベール支持部材と、一方のベール支持部材の先端にその一端が固定された固定軸と、固定軸の他端に固定された固定軸カバーと、固定軸カバーに一端が取り付けられたベールと、ラインローラとを備えている。ベールの他端は、ベール支持部材の他方の先端に取り付けられている。このベールの一端は折れ曲がって固定軸カバーの側頂部に挿入固定されている。ラインローラは、固定軸カバーとベール支持部材との間で固定軸に回転自在に支持されている。
【０００３】
このような釣り糸案内機構を有するスピニングリールでは、釣り糸をスプールに巻き取る際に、ベールを糸巻取り姿勢側に揺動させハンドルを回す。すると、釣り糸はベールに誘導されて固定軸カバーを介してラインローラの外周面に案内されて接触する。そして、ラインローラに案内されて釣り糸の方向が変えられスプール外周に巻き取られる。
【０００４】
【発明が解決しようとする課題】
前記従来の釣り糸案内機構では、糸巻取り時に仕掛けから魚が外れたりして釣り糸の張力が弱まったとき、ラインローラから釣り糸が離れる、いわゆる糸ふけが生じることがある。糸ふけが生じると、スプールの糸巻部より後方、さらにはスプールの内部に侵入して絡みつく糸落ちや糸が捩じれる糸縒れ等の現象が生じる。このような現象が生じた状態でハンドルを回すと、ベール支持部材やスプールに釣り糸が絡みやすくなる。ベール支持部材やスプールに釣り糸が絡むと、ハンドルを回転させることができず、釣り糸が切れたりさらに他の部位に絡んだりする。
【０００５】
本発明の課題は、スピニングリールの釣り糸案内機構において、糸ふけを可及的に防止することにある。
【０００６】
【課題を解決するための手段】
発明１に係るスピニングリールの釣り糸案内機構は、スピニングリールのリール本体の前方に配置されたロータの１対のロータアームの先端に設けられスプールに釣り糸を案内する機構であって、１対のベール支持部材と、ラインローラと、固定軸と、固定軸カバーと、ベールと、内側糸ふけ防止部材とを備えている。１対のベール支持部材は、１対のロータアームの先端にそれぞれ揺動自在に設けられている。ラインローラは、ベール支持部材の一方の先端に設けられている。固定軸は、一方のベール支持部材の先端に基端が固定されラインローラを回転自在に支持する軸である。固定軸カバーは、固定軸の先端に固定されラインローラの外径より大きい外径を有するものである。ベールは、固定軸カバーと他方のベール支持部材との間を連結して釣り糸をラインローラに案内するものである。内側糸ふけ防止部材は、固定軸の軸芯より後方でかつ軸芯よりスプール側の位置で固定軸カバーに近接して一方のベール支持部材に設けられ、軸芯からスプールの回転軸に沿った線分とそれと直交する線分とこれらの線分と直交する固定軸カバーの接線とで囲まれる領域から固定軸カバー領域を除いた領域内で釣り糸に接触するように配置され、一方のベール支持部材に軸芯に沿って立設された棒状部材である。
【０００７】
この釣り糸案内機構では、糸巻取り姿勢にベールを閉じた状態でハンドルを回すと、釣り糸はベールに誘導されて固定軸カバーを介してラインローラの外周面に案内されて接触する。このとき釣り糸に張力が作用しているときにはラインローラによりスムーズにスプールに釣り糸が案内されるが、釣り糸の張力が弱まるとラインローラから釣り糸が離れようとする。しかし、内側糸ふけ防止部材が固定軸の軸芯より後方でかつ軸芯よりスプール側の位置で固定軸カバーに近接して一方のベール支持部材に設けられているので、釣り糸がラインローラから離れにくくなる。この結果、釣り糸の張力が弱まっても糸ふけが生じにくくなる。さらにこの場合には、内側糸ふけ防止部材の構成が簡素になる。
【０００８】
発明２に係るスピニングリールの釣り糸案内機構は、スピニングリールのリール本体の前方に配置されたロータの１対のロータアームの先端に設けられスプールに釣り糸を案内する機構であって、１対のベール支持部材と、ラインローラと、固定軸と、固定軸カバーと、ベールと、内側糸ふけ防止部材とを備えている。１対のベール支持部材は、１対のロータアームの先端にそれぞれ揺動自在に設けられている。ラインローラは、ベール支持部材の一方の先端に設けられている。固定軸は、一方のベール支持部材の先端に基端が固定されラインローラを回転自在に支持する軸である。固定軸カバーは、固定軸の先端に固定されラインローラの外径より大きい外径を有するものである。ベールは、固定軸カバーと他方のベール支持部材との間を連結して釣り糸をラインローラに案内するものである。内側糸ふけ防止部材は、固定軸の軸芯より後方でかつ軸芯よりスプール側の位置で固定軸カバーに近接して一方のベール支持部材に設けられ、弾性部材によりラインローラ側に付勢されている。
【０００９】
この釣り糸案内機構では、糸巻取り姿勢にベールを閉じた状態でハンドルを回すと、釣り糸はベールに誘導されて固定軸カバーを介してラインローラの外周面に案内されて接触する。このとき釣り糸に張力が作用しているときにはラインローラによりスムーズにスプールに釣り糸が案内されるが、釣り糸の張力が弱まるとラインローラから釣り糸が離れようとする。しかし、内側糸ふけ防止部材が固定軸の軸芯より後方でかつ軸芯よりスプール側の位置で固定軸カバーに近接して一方のベール支持部材に設けられているので、釣り糸がラインローラから離れにくくなる。この結果、釣り糸の張力が弱まっても糸ふけが生じにくくなる。さらにこの場合には、ラインローラ側に付勢された内側糸ふけ防止部材により釣り糸に常に張力が作用し、糸ふけがより生じにくくなる。
【００１０】
発明３に係るスピニングリールの釣り糸案内機構は、スピニングリールのリール本体の前方に配置されたロータの１対のロータアームの先端に設けられスプールに釣り糸を案内する機構であって、１対のベール支持部材と、ラインローラと、固定軸と、固定軸カバーと、ベールと、内側糸ふけ防止部材とを備えている。１対のベール支持部材は、１対のロータアームの先端にそれぞれ揺動自在に設けられている。ラインローラは、ベール支持部材の一方の先端に設けられている。固定軸は、一方のベール支持部材の先端に基端が固定されラインローラを回転自在に支持する軸である。固定軸カバーは、固定軸の先端に固定されラインローラの外径より大きい外径を有するものである。ベールは、固定軸カバーと他方のベール支持部材との間を連結して釣り糸をラインローラに案内するものである。内側糸ふけ防止部材は、固定軸の軸芯より後方でかつ軸芯よりスプール側の位置で固定軸カバーに近接して一方のベール支持部材に設けられ、軸芯に沿った軸回りに回転自在に支持される回転部材を有ている。
【００１１】
この釣り糸案内機構では、糸巻取り姿勢にベールを閉じた状態でハンドルを回すと、釣り糸はベールに誘導されて固定軸カバーを介してラインローラの外周面に案内されて接触する。このとき釣り糸に張力が作用しているときにはラインローラによりスムーズにスプールに釣り糸が案内されるが、釣り糸の張力が弱まるとラインローラから釣り糸が離れようとする。しかし、内側糸ふけ防止部材が固定軸の軸芯より後方でかつ軸芯よりスプール側の位置で固定軸カバーに近接して一方のベール支持部材に設けられているので、釣り糸がラインローラから離れにくくなる。この結果、釣り糸の張力が弱まっても糸ふけが生じにくくなる。さらにこの場合には、釣り糸を巻き取る際に内側糸ふけ防止部材に釣り糸が接触しても釣り糸の移動が滑らかになり、巻取り抵抗が少なくなる。
【００１２】
発明４に係るスピニングリールの釣り糸案内機構は、発明１〜３のいずれかに記載の機構において、１対のベール支持部材は、ロータアームにその内側で揺動自在に支持されている。
【００１３】
発明５に係るスピニングリールの釣り糸案内機構は、発明１〜３のいずれかに記載の機構において、１対のベール支持部材は、ロータアームにその外側で揺動自在に支持されている。
【００１４】
発明６に係るスピニングリールの釣り糸案内機構は、発明１〜５のいずれかに記載の機構において、一方のベール支持部材の外側の外形線は、ラインローラ及び固定軸カバーよりスプールの径方向外方に位置するように形成されている。この場合には、糸ふけが生じて釣り糸がベール支持部材に絡もうとしても、ベール支持部材の外形線に邪魔されて釣り糸がラインローラの溝や固定軸カバーのギャップに捕捉されにくくなり、釣り糸はスムーズに排出されてより糸絡みが少なくなる。
【００１５】
【発明の実施の形態】
図１において、本発明の一実施形態を採用したスピニングリールは、ハンドル１を有するリール本体２と、リール本体２の前部に回転自在に支持されたロータ３と、ロータ３の前部に配置され釣り糸Ｌが巻き付けられるスプール４とを備えている。
【００１６】
リール本体２の上部には、スピニングリールを釣り竿に取り付けるための取付部２ａが形成されている。また、リール本体２の内部には、ロータ３を回転させるためのロータ駆動機構や、スプール４を回転軸芯に沿って前後方向に移動させてスプール４に釣り糸を均一に巻き取るためのレベルワインド機構等が設けられている。
【００１７】
ロータ３は回転軸芯に沿って前方に延びる第１ロータアーム５及び第２ロータアーム６を有しており、この両アーム５，６は互いに対向して配置されている。この両ロータアーム５，６の先端に糸巻取り姿勢と糸開放姿勢との間で揺動自在に釣り糸案内機構７が装着されている。
【００１８】
釣り糸案内機構７は、第１及び第２ロータアーム５，６の先端にそれぞれ揺動自在に装着された第１及び第２ベール支持部材８，９と、第１ベール支持部材８の先端に装着された釣り糸案内部１０と、釣り糸案内部１０と第２ベール支持部材９との間に設けられたベール１１とを有している。
【００１９】
釣り糸案内部１０は、図２に示すように、第１ベール支持部材８に一端が固定された固定軸２０と、固定軸カバー２１と、概略筒状のラインローラ２３とを有している。
【００２０】
固定軸２０の先端は、第１ベール支持部材８の先端に形成された釣り糸誘導部材２５にネジ２４により固定されている。釣り糸誘導部材２５は第１ベール支持部材８の先端に円筒板状に突出して一体形成されている。
【００２１】
固定軸カバー２１は、釣り糸誘導部材２５と同様な円筒板状をしている。固定軸カバー２１は、固定軸２０によって釣り糸誘導部材２５と間隔を隔て対向して固定されている。この固定軸カバー２１にベール１１の一端が挿入固定されている。
【００２２】
ラインローラ２３は、軸受（図示せず）を介して固定軸２０に回転自在に支持されている。ラインローラ２３は周面に軸方向の中央部が小径となるように２つのテーパ面が形成された鼓状の部材である。ラインローラ２３の中央部には円周方向の周溝２３ａが形成されている。
【００２３】
第１ベール支持部材８には、図３及び図４に示すように、固定軸２０の軸芯Ｃより後方（図３右側）でかつ軸芯Ｃよりスプール４側（図３下側）の位置で固定軸カバー２１に近接して内側糸ふけ防止部材３０が配置されている。具体的には、内側糸ふけ防止部材３０は、固定軸２０の軸芯Ｃからスプール軸に沿った線分Ｘ１とそれと直交する線分Ｘ２とを含む領域から固定軸カバー２１領域を除いたハッチングで示す領域Ａ内で釣り糸に接触するように配置されるのが好ましい。内側糸ふけ防止部材３０は、線材を折り曲げて形成した棒状部材であり、第１ベール支持部材８の軸支部８ａから釣り糸誘導部材２５に到る折れ曲がり部８ｂに基端が埋め込み固定されそこから前方に延びる装着部３０ａと、装着部３０ａの先端から固定軸２０の軸芯に沿って延びる糸ふけ防止部３０ｂとから構成されている。このような糸ふけ防止部３０ｂをラインローラ２３の周溝２３ａに近接して配置することで、周溝２３ａに案内された釣り糸が周溝２３ａから離れて糸落ちするのを防止する。
【００２４】
また、第１ベール支持部材８の折れ曲がり部８ｂと釣り糸誘導部材２５との間には、ラインローラ２３のスプール径方向外方でラインローラ２３の周面の少なくとも一部を覆うように外側糸ふけ防止部材３１が形成されている。外側糸ふけ防止部材３１は、釣り糸誘導部材２５の外方でラインローラ２３の周面と所定の間隔を隔てて配置されており、その先端はラインローラ２３の軸芯方向に沿って少なくとも周溝２３ａを覆う位置まで延びている。
【００２５】
このような外側糸ふけ防止部材３１を設けることで、ラインローラ２３の外側においても釣り糸がラインローラ２３から離れにくくなり、外側での糸ふけにより第１ベール支持部材８に釣り糸が絡むのも防止できる。また、外側糸ふけ防止部材３１が形成された第１ベール支持部材８の外形線は、ラインローラ２３及び固定軸カバー２１よりスプール４の径方向外方に位置するようになる。このため、糸ふけが生じて釣り糸が第１ベール支持部材８に絡もうとしても、第１ベール支持部材８の外形線に邪魔されて釣り糸がラインローラ２３の周溝２３ａや固定軸カバー２１のギャップに捕捉されにくくなり、釣り糸はスムーズに排出されてより糸絡みがより少なくなる。
【００２６】
次に、釣り糸の案内動作について説明する。
【００２７】
ハンドル１によりロータ３を回転させると、釣り糸Ｌはベール１１及びラインローラ２３に案内されてスプール４に巻き取られる。このとき釣り糸はラインローラ２３の周溝２３ａを通ってスプール４に案内される。この状態で仕掛けにかかった魚が外れる等して張力が弱まったときに、釣り糸Ｌはラインローラ２３の周溝２３ａから離れて糸ふけしようとする。しかし、ラインローラ２３の外方には外側糸ふけ防止部材３１が、内側には内側糸ふけ防止部材３０がそれぞれ設けられているので、ラインローラ２３から釣り糸Ｌが離れにくくなる。この結果、釣り糸Ｌがラインローラ２３から離脱する糸ふけが防止できる。
【００２８】
〔他の実施形態〕
（ａ）  図５に示すように、内側糸ふけ防止部材４０をラインローラ２３側に付勢するように構成してもよい。この実施形態では、第１ベール支持部材８の折れ曲がり部８ｂにスプール軸方向に沿って装着孔４２が形成されている。この装着孔４２に、内側糸ふけ防止部材４０の装着部４０ａが軸方向に移動自在に装着されているとともに、コイルバネ４１が圧縮状態で配置されている。内側糸ふけ防止部材４０は、装着孔４２に圧縮状態で配置されたコイルバネ４１によりラインローラ２３側に付勢されている。内側糸ふけ防止部材４０は、この装着部４０ａと、装着部４０ａから折れ曲がって固定軸２０の軸芯に沿って配置された糸ふけ防止部４０ｂとを有している。装着孔４２の先端には、キャップ４３がねじ込まれている。キャップ４３は内側糸ふけ防止部材４０が装着孔４２から外れるのを防止するためである。この実施形態では、釣り糸Ｌに常に張力が作用するので、釣り糸Ｌがより糸ふけしにくくなる。
【００２９】
（ｂ）  図６に示すように、内側糸ふけ防止部材５０に回転ローラ５１を設けてもよい。内側糸ふけ防止部材５０は、第１ベール支持部材８に挿入固定された装着部５０ａと、装着部５０ａから折れ曲がって固定軸２０の軸芯に沿って配置された軸部５０ｂと、軸部５０ｂに回転自在にされた回転ローラ５１とを備えている。回転ローラ５１は、ラインローラ２３の周溝２３ａに対向して配置されている。このように内側糸ふけ防止部材５０に回転ローラ５１を設けると、回転ローラ５１によって案内される釣り糸の巻取り抵抗が少なくなる。
【００３０】
（ｃ）  図７に示すように、第１及び第２ベール支持部材８，９を第１及び第２アーム５，６の外側で揺動自在に装着してもよい。
【００３１】
【発明の効果】
本発明によれば、固定軸の軸芯より後方でかつ軸芯よりスプール側の位置で固定軸カバーに近接して一方のベール支持部材に内側糸ふけ防止部材が設けられているので、釣り糸がラインローラから離れにくくなり、釣り糸の張力が弱まっても糸ふけが生じにくくなる。
【図面の簡単な説明】
【図１】本発明の一実施形態が採用されたスピニングリールの側面図。
【図２】その正面断面部分図。
【図３】リール案内機構の側面部分図。
【図４】その平面部分図。
【図５】他の実施形態の図３に相当する図。
【図６】他の実施形態の図３に相当する図。
【図７】他の実施形態の図１に相当する図。
【符号の説明】
３  ロータ
４  スプール
５，６  第１及び第２ロータアーム
７  釣り糸案内機構
８，９  第１及び第２ベール支持部材
１０  釣り糸案内部
２０  固定軸
２１  固定軸カバー
３０，４０，５０  内側糸ふけ防止部材
３１  外側糸ふけ防止部材
４１  コイルバネ
５１  回転ローラ
【図１】
0003542252.tif 000002
【図２】
0003542252.tif 000003
【図３】
0003542252.tif 000004
【図４】
0003542252.tif 000005
【図５】
0003542252.tif 000006
【図６】
0003542252.tif 000007
【図７】
0003542252.tif 000008